(57)【要約】      （修正有）【課題】  現行犯を含む抑制すべき相手が凶器などを所持して立ち向かってくるような危険な状況下であっても、安全かつ確実に相手を捕獲できる捕獲式刺股の提供。【解決手段】  所定の全長寸法と使用者が把持可能な直径寸法と使用上での充分な機械的強度とを有する棒部材２と、人体の頚部または四肢よりも大きい間隔を隔てて設けられる一対の延設部１１ｃ、１１ｃを形成し棒部材２の前端２ａに固定される二股部材１１と、棒部材の長手方向に略直交する停止位置で停止するストッパー部を有し一対の延設部１１ｃ、１１ｃで囲まれる捕獲範囲に向けて回動自在に回動自在に軸支される一対の捕獲部材１２、１３と、停止位置に向けて移動付勢するトーションバネとを備える。【選択図】  図１
2005291603.tif 000002
【特許請求の範囲】
【請求項１】
所定の全長寸法と使用者が把持可能な直径寸法と使用上での充分な機械的強度とを有する棒部材と、
人体の頚部または四肢よりも大きい間隔を隔てて設けられる一対の延設部を形成するとともに、前記棒部材の前端に固定される二股部材と、
前記棒部材の長手方向に略直交する停止位置で停止するストッパー部を有するとともに、前記一対の延設部で囲まれる捕獲範囲に向けて回動自在となるように前記一対の延設部の各端部で回動自在に軸支される一対の捕獲部材と、
前記一対の捕獲部材を前記停止位置に向けて移動付勢する付勢部材と、
を備えることを特徴とする捕獲式刺股。
【請求項２】
ゴムバンドを含む伸縮性部材を、前記捕獲範囲の前記棒部材側に配置したことを特徴とする請求項１に記載の捕獲式刺股。
【請求項３】
催涙液または塗料の一方または双方の混合液を溜める液体貯蔵部と、
前記液体貯蔵部に連通されるとともに、圧縮ガスの導入で前記棒部材の長手方向に向けて前記各液を噴射するように前記棒部材の前記前端に固定される噴射ノズルと、
前記圧縮ガスを発生する液化ガスボンベを着脱自在に固定するとともに、前記液化ガスボンベの封印を解除する封印解除機構を有し、前記棒部材の途中部位に固定されるスイッチ部と、
前記スイッチ部と前記液体貯蔵部との間に接続される連通管と、をさらに備えることを特徴とする請求項１または２に記載の捕獲式刺股。
【請求項４】
前記封印解除機構に連動して、前記棒部材の長手方向に向けて強烈な光を発光するストロボ装置を、前記棒部材の前記前端にさらに固定したことを特徴とする請求項３に記載の捕獲式刺股。
【請求項５】
前記棒部材は、中空管の複数分を接続可能に設けたことを特徴とする請求項１乃至４のいずれか１項に記載の捕獲式刺股。
【請求項６】
所定の全長寸法と使用者が把持可能な直径寸法と使用上での充分な機械的強度とを有するとともに中空管の複数分を接続可能に設けて構成される棒部材と、
人体の頚部または四肢の外形寸法よりも大きい間隔を隔てて設けられる一対の延設部を形成するとともに前記棒部材の前端に固定される二股部材と、
前記棒部材の長手方向に略直交する停止位置で停止するストッパー部を有するとともに前記一対の延設部で囲まれる捕獲範囲に向けて回動自在となるように前記一対の延設部の各端部で回動自在に軸支される一対の捕獲部材と、
前記一対の捕獲部材を前記停止位置に向けて移動付勢する付勢部材と、
、前記捕獲範囲の前記棒部材側に配設されるゴムバンドを含む伸縮性部材と、
催涙液または塗料の一方または双方の混合液を溜める液体貯蔵部と、
前記液体貯蔵部に連通されるとともに圧縮ガスの導入で前記棒部材の長手方向に向けて前記各液を噴射するように前記棒部材の前記前端に固定される噴射ノズルと、
前記圧縮ガスを発生する液化ガスボンベを着脱自在に固定するとともに前記液化ガスボンベの封印を解除する封印解除機構を有し、かつ前記棒部材の途中部位に固定されるスイッチ部と、
前記スイッチ部と前記液体貯蔵部の間に接続される連通管と、
前記封印解除機構に連動して前記棒部材の長手方向に向けて強烈な光を発光するために前記棒部材の前記前端に固定されるストロボ装置と、
を備えることを特徴とする捕獲式刺股。
【発明の詳細な説明】
【技術分野】
【０００１】
本発明は、犯人を捕らえるときに充分な距離を確保して安全に使用できる捕獲式刺股に関するものである。
【背景技術】
【０００２】
江戸時代のわが国では、犯人の喉を不動状態にして取り押えるための刺股が使用されていた。この刺股は、木の柄の先から略喉の大きさとなるように二股に分かれた鉄製の金具を固定した構成を備えていた。しかし、この古来からの刺股は、異なる方向から複数の者が同時に刺股を使用するか、または犯人を壁面などに追い詰めた状況下でないと確実に犯人を捕獲できず、また犯人に対する身体的ダメージが大きいなどの理由から次第に使われなくなった。
【０００３】
一方、近年になり犯行がますます凶悪化して来ており、抑制すべき犯人が凶器などを所持して立ち向かってくる状況が増加しつつある。これに対処するために、棒部材の先端に設けられる２本のアームを閉状態から所定角度を有した開状態に固定できるように構成された刺股式の警杖が提案されている。（特許文献１）
【特許文献１】特開２００１−１８３０９１号公報。
【発明の開示】
【発明が解決しようとする課題】
【０００４】
しかしながら、上記の特許文献１による刺股式の警杖によれば、犯人を取り押えるための２本のアームがＹ字形に開く構造であるために、その使用方法は上記のような古来からの刺股と基本的に同じものである。このため、犯人を確実に捕獲できない場合がある。
【０００５】
したがって、本発明は上記の問題点に鑑みて成されたものであり、例えば抑制すべき相手が凶器などを所持して立ち向かってくるような状況下であっても、安全かつ確実に相手を捕獲することのできる捕獲式刺股の提供を目的としている。
【０００６】
また、例えば抑制すべき相手が凶器などを所持して立ち向かってくるような状況下であっても、相手に先制攻撃を与えることにより、ひるんだすきに安全かつ確実に相手を捕獲することのできる捕獲式刺股の提供を目的としている。
【課題を解決するための手段】
【０００７】
上述した課題を解決し、目的を達成するために、本発明の捕獲式刺股によれば、所定の全長寸法と使用者が把持可能な直径寸法と使用上での充分な機械的強度とを有する棒部材と、人体の頚部または四肢よりも大きい間隔を隔てて設けられる一対の延設部を形成するとともに、前記棒部材の前端に固定される二股部材と、前記棒部材の長手方向に略直交する停止位置で停止するストッパー部を有するとともに、前記一対の延設部で囲まれる捕獲範囲に向けて回動自在となるように前記一対の延設部の各端部で回動自在に軸支される一対の捕獲部材と、前記一対の捕獲部材を前記停止位置に向けて移動付勢する付勢部材とを備えることを特徴としている。
【０００８】
また、ゴムバンドを含む伸縮性部材を、前記捕獲範囲の前記棒部材側に配置したことを特徴としている。
【０００９】
また、催涙液または塗料の一方または双方の混合液を溜める液体貯蔵部と、前記液体貯蔵部に連通されるとともに、圧縮ガスの導入で前記棒部材の長手方向に向けて前記各液を噴射するように前記棒部材の前記前端に固定される噴射ノズルと、前記圧縮ガスを発生する液化ガスボンベを着脱自在に固定するとともに、前記液化ガスボンベの封印を解除する封印解除機構を有し、前記棒部材の途中部位に固定されるスイッチ部と、前記スイッチ部と前記液体貯蔵部との間に接続される連通管とをさらに備えることを特徴としている。
【００１０】
また、前記封印解除機構に連動して、前記棒部材の長手方向に向けて強烈な光を発光するストロボ装置を、前記棒部材の前記前端にさらに固定したことを特徴としている。
【００１１】
また、前記棒部材は、中空管の複数分を接続可能に設けたことを特徴としている。
【００１２】
そして、本発明の捕獲式刺股によれば、所定の全長寸法と使用者が把持可能な直径寸法と使用上での充分な機械的強度とを有するとともに中空管の複数分を接続可能に設けて構成される棒部材と、人体の頚部または四肢の外形寸法よりも大きい間隔を隔てて設けられる一対の延設部を形成するとともに前記棒部材の前端に固定される二股部材と、前記棒部材の長手方向に略直交する停止位置で停止するストッパー部を有するとともに前記一対の延設部で囲まれる捕獲範囲に向けて回動自在となるように前記一対の延設部の各端部で回動自在に軸支される一対の捕獲部材と、前記一対の捕獲部材を前記停止位置に向けて移動付勢する付勢部材と、前記捕獲範囲の前記棒部材側に配設されるゴムバンドを含む伸縮性部材と、催涙液または塗料の一方または双方の混合液を溜める液体貯蔵部と、前記液体貯蔵部に連通されるとともに圧縮ガスの導入で前記棒部材の長手方向に向けて前記各液を噴射するように前記棒部材の前記前端に固定される噴射ノズルと、前記圧縮ガスを発生する液化ガスボンベを着脱自在に固定するとともに前記液化ガスボンベの封印を解除する封印解除機構を有し、かつ前記棒部材の途中部位に固定されるスイッチ部と、前記スイッチ部と前記液体貯蔵部の間に接続される連通管と、前記封印解除機構に連動して前記棒部材の長手方向に向けて強烈な光を発光するために前記棒部材の前記前端に固定されるストロボ装置とを備えることを特徴としている。
【発明の効果】
【００１３】
本発明によれば、現行犯を含む抑制すべき相手が凶器などを所持して立ち向かってくるような危険な状況下であっても、安全かつ確実に相手を捕獲できる捕獲式刺股を提供することができる。
【００１４】
また、相手に積極的に先制攻撃を与えることで、ひるんだすきに安全かつ確実に相手を捕獲することのできる捕獲式刺股を提供することができる。
【発明を実施するための最良の形態】
【００１５】
以下に、本発明の好適な一実施形態の捕獲式刺股１の構成、動作および使用方法について、添付の各図に基づき詳細に説明する。
【００１６】
先ず、図１（ａ）は、一実施形態の捕獲式刺股１（以下、刺股とも言う）に係る正面図であり、また（ｂ）は（ａ）に図示の捕獲式刺股１と同じ縮尺で示した平面図である。
【００１７】
本図において、この刺股１は主に室内での使用を前提として使用者が把持できる直径と全長寸法Ｌ１が約２ｍ〜１．８ｍの範囲に設定された棒部材１を備えた標準タイプと、屋外での使用を前提とした長タイプの刺股１であって全長寸法Ｌ１が２ｍ以上約３ｍに設定されたものも準備される。また、例えば２４時間営業のコンビニエンス・ストア用の刺股１として、棒部材１の全長寸法Ｌ２が１ｍ以下（例えば０．８ｍ前後）の短タイプも準備されている。
【００１８】
以上の各タイプの刺股を壁面などに立てかけるか壁などに吊るしておく。このように準備しておくことで、例えば短タイプの刺股１を使用して、店員がレジカウンタ越しに現行犯を捕獲する際に、棒部材２の全長部分が狭いレジカウンタ内で邪魔にならないようにしている。また、標準タイプの刺股１を室内で使用する場合には、天井面にぶつからないようにして犯人を確実に捕獲できるようにしている。
【００１９】
この棒部材２は、モップなどに使用される木製の安価品と、例えば規格品である直径寸法が２７ｍｍで肉厚寸法が１．５ｍｍ前後の中空鉄パイプ製の標準品とがある。この中空鉄パイプ製では重くて、例えば女性など非力の使用者が操作に障害となる場合に備えて、チタン合金の中空パイプ製の特注品もある。これらの棒部材２の材質は、上記の短タイプと標準タイプと長タイプに夫々最適となるように選択される。
【００２０】
また、棒部材２を上記の中空金属パイプ製とした場合には、図示の全長寸法Ｌ１の使用状態から全長寸法Ｌ２の短かい使用状態に変更できるように、後述のように接続可能に設けることもできる。棒部材２の後端２ｃにはラバーキャップまたは石突き８が固定されており、この石突き８を片方の手で押すことで、犯人を捕らえるときの力を有効に伝達できるようにしている。
【００２１】
棒部材２の途中部位である略中間の重心部分には、押圧スイッチを上面に固定するとともに炭酸ガスボンベ７を装填するためのスイッチ部６が固定されている。また、棒部材２の前端２ａには、噴射ノズル４と強烈な光を発光するストロボ装置５と、二股部材１１とが図示のような位置関係となるように夫々固定されている。
【００２２】
上記のスイッチ部６は、炭酸ガスボンベ７の封印解除機構が内蔵されており、押圧スイッチが操作されることで後述するように催涙液、塗料またはこれらの混合液を噴射ノズル４の先端から勢い良く吹き付けることができるように構成されている。また、ストロボ装置５は、そのコンデンサーの充電のために時間を要するので、同じスイッチ部６の押圧操作により、噴射ノズル４からの各液体の噴射に多少遅れて犯人の目に向けて強烈な光を発光できることとなる。ストロボ装置５の右隣には催涙液、塗料またはこれらの混合液を棒部材２の貯蔵部に補充するときに開閉操作される蓋部材９が設けられている。
【００２３】
次に、この二股部材１１には図示のように棒部材２の前端２ａの両側面を取り付け部として左右に分かれた延設部１１ｃ、１１ｃが一体形成されている。これらの延設部１１ｃ、１１ｃは、犯人の首または四肢の寸法に若干のクリアランス分を加えた間隔を隔てて平行となるように設けられている。また、各延設部１１ｃ、１１ｃの先端において捕獲部材１２、１３を図示の停止位置と後述する捕獲位置との間で回動自在に設けている。また延設部１１ｃ、１１ｃの基部となる部分には伸縮部材である合成ゴム製の弾性ラバー１８が張設されており、この弾性ラバー１８の伸縮作用により犯人を確実に捕獲できるようにしている。この弾性ラバー１８が無いタイプも可能であり、また、上記の弾性ラバー１８に変えて伸縮部材であるスポンジを設けても良い。
【００２４】
以上のように、棒部材２と二股部材１１の延設部１１ｃ、１１ｃの先端において捕獲部材１２、１３を設けた構成を基本的な構成として、噴射ノズル４、ストロボ装置５およびこれらの付随装置をいわゆるオプションとして随時設定できるようにしても良い。
【００２５】
また、図１（ａ）に図示の構成のスイッチ部６に代えて、破線で示した銃形状のグリップ部に設けられたトリガー機構を噴射開始用のスイッチ部６とし、さらに石突き８に代えて銃座を設けることでより力が入るようにしも良く、これらの破線図示の構成部分については使用者側の要望に応じて特注品として柔軟に対応できるようにしている。さらに、凶器を所持する悪質な犯人の場合には、棒部材２の前端２ａにスタンガンを設けることで、一時的な拘束状態にしてから捕獲することもできる。
【００２６】
図２（ａ）〜（ｃ）は、二股部材１１と捕獲部材１２、１３の構成の平面図である。本図において既に説明済みの同様の構成部品については同様の符号を付して割愛すると、二股部材１１と捕獲部材１２、１３は、捕獲時に発生する大きな外力でも変形や損傷などしないような鉄製またはチタン合金製の金属製が好ましいが、専用金型を用いたアルミダイキャスト製または樹脂射出成形品として準備しても良い。
【００２７】
この二股部材１１は、棒部材２の前端２ａの両側面に対して図示のように複数のねじで固定される取付基部１１ａ、１１ａと、約４５度の傾斜角度でこの取付基部１１ａ、１１ａから延設部１１ｃ、１１ｃに向けて一体形成される傾斜部１１ｂ、１１ｂとから一体形成されている。
【００２８】
一方、図面下側の延設部１１ｃには弾性ラバー１８を引っ掛けるためのフック部８０が設けられている。また、図面上側の延設部１１ｃには弾性ラバー１８を通過させる孔部６１（破線図示）が穿設されており、弾性ラバー１８をこの孔部６１に通過させた後に傾斜部１１ｂの側面に設けられたフック部２２に対して弾性ラバー１８の途中部分をセットすることで、未使用状態において図２（ａ）に図示のように弾性ラバー１８が張設する状態になるようにしている。
【００２９】
次に、各延設部１１ｃ、１１ｃの先端には軸体１４、１４が設けられており、各捕獲部材１２、１３にはこれらの各軸体１４、１４周りに回動自在にするための不図示の軸受孔または軸受部材が設けられている。また、各捕獲部材１２、１３には延設部１１ｃ、１１ｃの側面に対して当接することでそれ以上の回動を規制する形状のストッパー部１２ａ、１３ａが形成されている。また、上記の各軸体１４周りには一端を各捕獲部材１２、１３に固定し、他端を延設部１１ｃ、１１ｃに固定した付勢部材であるトーションバネ１５、１５が設けられており、各捕獲部材１２、１３を図２（ａ）に図示の停止位置に移動付勢している。
【００３０】
続いて、図２（ｂ）において、犯人の捕獲のために刺股１を把持して犯人の首または四肢Ａ（破線図示）にめがけてＤ１方向に突き出すと、各捕獲部材１２、１３はトーションバネ１５のバネ力に抗して矢印Ｄ２、Ｄ２方向に夫々回動し、延設部１１ｃ、１１ｃで囲まれた捕獲範囲内に入り、これに前後して犯人の首または四肢Ａが弾性ラバー１８に突き当たる。
【００３１】
この結果、弾性ラバー１８が伸びて、各捕獲部材１２、１３がトーションバネ１５のバネ力で矢印Ｄ３、Ｄ３方向に回動できるようになり、元の停止位置に戻る。以上で、図２（ｃ）に図示のように犯人の首または四肢Ａを二股部材１１の中で確実に捕獲できる状態になる。
【００３２】
この後、外すときはフック２２から弾性ラバー１８を取り外し、捕獲範囲に余裕を発生させることで、犯人の首または四肢Ａを二股部材１１の中から解除する。
【００３３】
尚、図２（ａ）において、捕獲部材１２、１３の端部は図示のように湾曲面とすることで犯人の首または四肢Ａ（破線図示）にめがけて刺股１をＤ１方向に突き出したときに抵抗なくかスムーズに回動できるようになる。あるいは破線図示の回転自在のローラ２０、２０を設けて摩擦抵抗をより少なくしても良い。
【００３４】
なお、捕獲機構は上記の構成に限定されず、例えば付勢部材であるトーションバネ１５に代えて引っ張りバネを用いても良く、さらに各捕獲部材１２、１３は延設部１１ｃ、１１ｃの外側の外側面に沿う停止位置に位置しており、捕獲時に内側に移動するように構成しても良い。
【００３５】
次に、図３（ａ）は、捕獲式刺股１の内部構造を示す要部断面図であり、図３（ｂ）は棒部材２の接続部を示す図である。
【００３６】
本図において既に説明済みの同様の構成部品については同様の符号を付して割愛すると、先ず図３（ｂ）において棒部材２の連結部の一方には内側において雌ねじ３０が旋盤加工されている。また棒部材２の連結部の他方にはこの雌ねじ３０に螺合する雄ねじ３２を機械加工した約５ｃｍの長さの部材３１が図示のように固定されている。以上の構成により、一方の棒部材２と他方の棒部材２を自由に接続できることとなる。
【００３７】
次に、図３（ａ）において、スイッチ部６には液化炭酸ガスを充填したガスボンベ７を螺合結合するためのねじ部６ａが形成されている。このねじ部６ａの内部には圧縮バネ４１で図示の待機位置に移動付勢されるとともに、先端に針部を形成した針部材４０が内蔵されている。
【００３８】
この針部材４０は、スイッチ部６で図示の上下方向に移動可能に設けられた押圧スイッチ４２が下方に押圧されたときに、左側に移動することで針部でガスボンベ７の封印に孔を明ける。孔が明けられて外部に流出したガスは、棒部材２の中空部の連通管４３を通過して液体貯蔵部４４に向かう。液体貯蔵部４４は上記の催涙液４５などが貯められているとともに上記の噴射ノズル４に連通している。尚、この液体貯蔵部４４は、棒部材２の外側に固定しても良い。
【００３９】
また、スイッチ部６の押圧スイッチ４２の下方には押圧スイッチ４２の操作でオン・オフする機械的接点を備えたマイクロスイッチ５１が設けられており、さらに棒部材２の内部には乾電池５０、５０が着脱自在に設けられている。各乾電池はマイクロスイッチ５１がオンされるとストロボ装置５に対する通電を行いストロボ発光を可能にしている。なお、乾電池５０、５０は棒部材２の内部に内蔵せず、ストロボ装置５に内蔵しても良い。
【００４０】
最後に、図４の捕獲式刺股１の使用状態を示す外観斜視図を参照して、使用例について述べる。先ず、凶器を保持した犯人を捕らえるために刺股１を図示のように把持して、犯人の顔めがけて狙いを定めた後に、スイッチ部６を操作する。すると、催涙液が噴射ノズル４から勢い良く噴射される、これにやや遅れてストロボ装置５から強烈な光が発光されることから、犯人は一時的に目がくらむ状態になる。または、噴射ノズル４から蛍光色などのペイントが吹き付けられるので、犯人は観念して逃走をためらう。
【００４１】
これに続き、刺股１の棒部材２を強く両手で把持して犯人の四肢Ａめがけて突き出すことで、上述したように捕獲することができることから犯人の逃走を阻止できる。その後、警察官に引き渡すことができる。
【００４２】
ここで、１本以上の刺股１を準備しておけば、大勢で犯人を確実に捕獲できることとなる。さらに、蛍光色の目立つ色のペイント液を犯人に吹き付けることで身体や衣類に付着させることができるので、現場にいた犯罪を立証できることになる。さらに、一定の距離離れた場所から犯人の捕捉ができるので安全である。また、特に訓練を経ているような警察官、警備員であればきわめて容易に犯人を捕捉することができる。未使用時には上記のように壁面に立てかけることで場所をとらずに保管できる。
【００４３】
さらに、使用後には催涙液、ガスボンベが補充されることは言うまでもないが、これ以外に定期的に保守点検作業を行うことで、常に緊急事態発生に備えることができる。
【産業上の利用可能性】
【００４４】
上記の犯人の捕獲以外の目的として、大型動物の捕獲用や、手の届かない場所にいる遭難者の四肢を把持するように用いることで、緊急時の人命救助用としても活用することができる。
【図面の簡単な説明】
【００４５】
【図１】（ａ）は本発明の一実施形態の捕獲式刺股１に係る正面図、（ｂ）は捕獲式刺股１の平面図である。
【図２】（ａ）〜（ｃ）は捕獲式刺股１の捕獲機構の動作説明平面図である。
【図３】（ａ）は捕獲式刺股１の内部構造を示す要部断面図、（ｂ）は棒部材の接続部を示す図である。
【図４】は、捕獲式刺股１の使用状態を示す外観斜視図である。
【符号の説明】
【００４６】
１  捕獲式刺股
２  棒部材
２ａ  前端
４  噴射ノズル
５  ストロボ装置
６  スイッチ部
７  ガスボンベ
１１  二股部材
１１ｃ  延設部
１２、１３  捕獲部材
１２ａ、１３ａ  ストッパー部
１５  トーションバネ（付勢部材）
１８  弾性ラバー（伸縮部材）
【図１】
2005291603.tif 000003
【図２】
2005291603.tif 000004
【図３】
2005291603.tif 000005
【図４】
2005291603.tif 000006